(57)【要約】【課題】  本発明はズボンに関し、裾部にファスナで開閉する開口部を設けたズボンに改良を加え、足への圧迫感をなくし、裾部を十分に絞ることのできるズボンを提供することを目的とする。【解決手段】  請求項１に係るズボンは、裾部にファスナで開閉する開口部を設けると共に、該開口部から離間して裾部に、該裾部を絞る止着部材を設けたことを特徴とする。  そして、請求項２に係る発明は、請求項１に記載のズボンに於て、前記開口部を、裾部の後方側または前方側に設け、前記止着部材を、裾部の側方側に設けたことを特徴とし、請求項３に係る発明は、請求項１または請求項２に記載のズボンに於て、前記止着部材は、互いに係合する係合部材からなり、該係合部材は、いずれか一方が他方より裾部の高い位置に設けられていることを特徴とする。【選択図】    図１
2008274458.tif 000002
【特許請求の範囲】
【請求項１】
裾部にファスナで開閉する開口部を設けると共に、該開口部から離間して裾部に、該裾部を絞る止着部材を設けたことを特徴とするズボン。
【請求項２】
前記開口部を、裾部の後方側または前方側に設け、前記止着部材を、裾部の側方側に設けたことを特徴とする請求項１に記載のズボン。
【請求項３】
前記止着部材は、互いに係合する係合部材からなり、該係合部材は、いずれか一方が他方より裾部の高い位置に設けられていることを特徴とする請求項１または請求項２に記載のズボン。
【請求項４】
前記係合部材は、側方側に形成された布地の接合部を挟んで該接合部の前後に設けられていることを特徴とする請求項３に記載のズボン。
【請求項５】
前記係合部材のいずれか一方は、側方側に形成された布地の接合部に跨って設けられていることを特徴とする請求項３に記載のズボン。
【発明の詳細な説明】
【技術分野】
【０００１】
本発明はズボンに係り、詳しくはズボンの裾部にファスナで開閉する開口部（切欠き）を設けたズボンに関する。
【背景技術】
【０００２】
特許文献１に開示されるように、従来、ズボンが履き易いように裾部にファスナで開閉する開口部（切欠き）を設けたズボンが、釣り用ズボンやスポーツ用ズボン等で広く採用されている。
【０００３】
このズボンは、ファスナで開口部を開放して裾部を広げることで、容易に足を通してズボンの脱ぎ履きができ、また、履いているときは、ズボンの裾が足にまとわりつかないように、ファスナで開口部を閉じることができるようになっている。
【０００４】
また、一般に前記開口部には、該開口部を跨いでベルト（止着部材）が裾部に取り付けられており、該ベルトによってファスナが容易に開かないようにすると共に、該ベルトでズボンの裾部を絞って（折り上げて）、長靴等を容易に脱ぎ履きできるようになっている。
【特許文献１】実用新案登録第３０９６９０３号公報
【発明の開示】
【発明が解決しようとする課題】
【０００５】
しかし乍ら、このようなズボンはベルトで裾部を絞ると、ファスナで閉じられた開口部を周方向に引っ張るため、裾部を十分に絞ることができなかったり、開口部をファスナごと折り曲げてしまうため足に圧迫感があり、また、大腿部付近から裾部に亘ってズボンが捩られるため、足がつれた感じがあって不快感を感じることがあった。
【０００６】
本発明は斯かる実情に鑑み案出されたもので、裾部にファスナで開閉する開口部を設けたこの種のズボンに改良を加え、足への圧迫感をなくし、裾部を十分に絞ることのできるズボンを提供することを目的とする。
【課題を解決するための手段】
【０００７】
斯かる目的を達成するため、請求項１に係るズボンは、裾部にファスナで開閉する開口部を設けると共に、該開口部から離間して裾部に、該裾部を絞る止着部材を設けたことを特徴とする。
【０００８】
そして、請求項２に係る発明は、請求項１に記載のズボンに於て、前記開口部を、裾部の後方側または前方側に設け、前記止着部材を、裾部の側方側に設けたことを特徴とし、請求項３に係る発明は、請求項１または請求項２に記載のズボンに於て、前記止着部材は、互いに係合する係合部材からなり、該係合部材は、いずれか一方が他方より裾部の高い位置に設けられていることを特徴とする。
【０００９】
更に、請求項４に係る発明は、請求項３に記載のズボンに於て、前記係合部材は、側方側に形成された布地の接合部を挟んで該接合部の前後に設けられていることを特徴とし、請求項５に係る発明は、請求項３に記載のズボンに於て、前記係合部材のいずれか一方は、側方側に形成された布地の接合部に跨って設けられていることを特徴とする。
【発明の効果】
【００１０】
請求項１及び請求項２に係る発明によれば、ファスナで開口部を開閉して容易にズボンの脱ぎ履きができると共に、止着部材でファスナを折り曲げることがないため、従来に比し足への圧迫感が解消された。
【００１１】
而も、裾部の側方側に設けた止着部材から離間させて開口部を設けたため、止着部材の操作に開口部が支障を来すことがなくなり、絞り／解除の操作が良好となって裾部を十分に絞ることができる。
【００１２】
そして、請求項３乃至請求項５に係る発明によれば、止着部材による裾部の絞りに対し、ズボンの股下部の捻れ（つれ）が軽減する利点を有する。
【００１３】
更に、請求項５に係る発明によれば、係合部材のいずれか一方を布地の接合部に跨って設けたので、様々な人の体型に応じて止着部材の止着位置の微調整が可能である。
【発明を実施するための最良の形態】
【００１４】
以下、本発明の実施形態を図面に基づいて詳細に説明する。
【００１５】
図１及び図２は請求項１乃至請求項３及び請求項５に係るズボンの一実施形態を示し、図中、１はナイロン等の織布の生地で形成された防水性を有するズボンで、該ズボン１の外側側に、所定形状に裁断された３枚の布地３，５，７の接合部（縫い目）９，１１が、ズボン１の腰部１３から裾部１５に亘って上下方向に設けられている。
【００１６】
而して、図１に示すようにズボン１の側面視中央に設けられた接合部９は、後述する止着部材１７による裾部１５の絞りに対し股下部１９の捻れ（つれ）を軽減させるため、股下部１９の膝位置近傍で膝方向へ湾曲した後、再び膝下で裾部１５の後方へと湾曲し、裾部１５側面の中央で裾部１５の下端に達している。
【００１７】
一方、前記接合部９よりも側部後方に設けられた接合部１１は、上部側が臀部２１方向へ湾曲した後、斜め前方へ湾曲し、そして、前記接合部９に沿って膝部近傍で裾部１５の後方へと湾曲し、裾部１５側部後方で裾部１５の下端に達する形状となっている。
【００１８】
そして、前記接合部１１に沿って、ファスナ２３で開閉する逆Ｖ字状に裾を切り欠いた開口部２５が裾部１５の後方側に設けられており、図１の如くファスナ２３を開くと、裾部１５が広がって容易に足を通してズボン１の脱ぎ履きができるようになっている。
【００１９】
尚、前記ファスナ２３は止水（防水）ファスナが使用されている。
【００２０】
そして、前記開口部２５内に目止めカバー２７が縫着で取り付けられると共に、裏面側先端に雄型面ファスナ２９が縫着で取り付けられたベルト３１が開口部２５近傍の一側縁に止着され、また、該開口部２５近傍の他側縁側に雌型面ファスナ３３が縫着で取り付けられている。そして、図２に示すようにファスナ２３を締めて開口部２５を閉じた後、雄型面ファスナ２９を雌型面ファスナ３３に止着すると、ベルト３１が裾部１５に沿ってスライダー３４を覆ってファスナ３３を保護すると同時に、開口部２５が不用意に開かないように該開口部２５の閉鎖状態を保持するようになっている。
【００２１】
尚、ベルト３１と雌型面ファスナ３３は、次に記述する止着部材１７と異なり、ズボン１の裾部１５を絞る（折り上げする）機能はない。
【００２２】
そして、本実施形態は、前記開口部２５から離間して裾部１５の側方側（外側側）に、該裾部１５を絞る（折り上げする）止着部材１７を設けたことを特徴とする。
【００２３】
図１に示すように止着部材１７は、前記接合部９を跨って裾部１５の前後方向に縫着で取り付けられた短冊状の雌型面ファスナ（係合部材）３５と、該雌型面ファスナ３５に接合する雄型面ファスナ（係合部材）３７が裏面側先端に縫着で取り付けられた短冊状のベルト３９とで構成されており、雌型面ファスナ３５は、裾部１５へのベルト３９の止着部４１に比し裾部１５の高い位置から斜め前方へ傾斜して設けられている。
【００２４】
そして、斯様に斜め方向に縫着された雌型面ファスナ３５に沿って、前記ベルト３９が裾部１５の後方側が上方に高くなるように配されており、図２に示すように、膝当たりから裾部１５に亘って股下部１９を折り上げてベルト３９の雄型面ファスナ３７を雌型面ファスナ３５に接合すると、後方の斜め上方に向けて裾部１５が絞れられるようになっている。そして、前記接合部９，１１のキワに、補強と飾りの意味でコバステッチ（コバ）４３が入れられている。
【００２５】
本実施形態に係るズボン１はこのように構成されているから、図１に示すようにファスナ２３（スライダー３４）を操作して開口部２５を開くと、裾部１５が広がり、容易に足を通してズボン１の脱ぎ履きができることとなる。
【００２６】
そして、ズボン１を履いた後、図２の如くファスナ２３を締めて開口部２５を閉じ、雄型面ファスナ２９を雌型面ファスナ３３に止着すれば、ベルト３１がスライダー３４を覆ってファスナ２３を保護すると共に、開口部２５が不用意に開かないようにベルト３１が開口部２５の閉鎖状態を保持する。
【００２７】
また、例えば長靴を履くためにズボン１の裾部１５を絞る場合は、図２に示すように膝当たりから裾部１５に亘って股下部１９を折り上げてベルト３９の雄型面ファスナ３７を雌型面ファスナ３５に接合すれば、裾部１５が絞れられて裾部１５を長靴内に簡単に挿入できることとなる。
【００２８】
そして、本実施形態は、開口部２５と離間させて止着部材１７を裾部１５に設けた構造上、既述したように雄型面ファスナ３７を雌型面ファスナ３５に接合させて裾部１５を絞った際に、止着部材１７でファスナ２３を折り曲げることがないため、従来に比し足への圧迫感が解消された。
【００２９】
而も、裾部１５の側方側に設けた止着部材１７から離間させて開口部２５を裾部１５の後方側に設けたため、止着部材１７の操作に開口部２５が支障を来すことがなくなり、絞り／解除の操作が良好となって裾部１５を十分に絞ることができる。
【００３０】
また、既述したように本実施形態は、接合部９，１１を股下部１９の膝位置近傍で膝方向へ湾曲した後、裾部１５の後方へと湾曲して形成させたので、接合部９，１１は下方になるにつれて後方側へ向かうように傾斜し、更に、止着部材１７を接合部９と交差（略直交）するように斜め方向に配したので、止着部材１７による裾部１５の絞りに対し、股下部１９の捻れ（つれ）が軽減する。
【００３１】
即ち、図２の一点鎖線は、接合部９を上下方向にストレート状に設け、また、前記止着部材１７を裾部１５に沿って平行に配した構造に於ける股下部１９の捻れを示すもので、斯かる構造にあっては、大腿部付近から裾部１５に亘ってズボン１（股下部１９）が大きく捻れてしまうため、足がつれた感じがして不快であるが、図２の実線で示すように本実施形態によれば、膝位置から裾部１５に亘る短い領域でズボン１が捻れるだけであるため、足がつれた感じが著しく軽減して履き心地が良好となる利点を有する。
【００３２】
そして、本実施形態は、短冊状に形成された止着部材１７の雌型面ファスナ３５を、前記接合部９を跨って裾部１５の前後方向に縫着したので、様々な人の体型に応じてベルト３９（雄型面ファスナ３７）の接合位置の微調整が可能である。
【００３３】
更に、止着部材１７で裾部１５の絞り具合を調整するときに、接合部９で捻れ（つれ）が食い止められ、捻れ（つれ）が接合部９に沿った折り目のようになるため、足への圧迫感が少なく、また、接合部９の傾斜方向に合わせて捻れの折り目を設けて裾を絞ることができる。
【００３４】
尚、前記実施形態では、止着部材１７を裾部１５の外側側に設けたが、裾部１５の内側側に止着部材１７を設けてもよいし、また、裾部１５の外側と内側の双方に止着部材１７を設けてもよい。
【００３５】
而して、斯様に裾部１５の外側と内側の双方に止着部材１７を設けることで、裾部１５を内外均等に絞ることができる利点を有する。
【００３６】
また、開口部２３を裾部１５の前方側に設けてもよく、斯かる実施形態にあっても、所期の目的を達成することが可能である。
【００３７】
図３及び図４は請求項１乃至請求項４に係るズボンの一実施形態を示し、本実施形態に係るズボン４５は、前記ベルト３９と面ファスナ３５，３７からなる止着部材１７に代え、接合部９を挟んで一対のスナップ（係合部材）４７，４９を止着部材として裾部１５に取り付けたもので、図３に示すように後方側のスナップ４９は、前方側のスナップ４７より裾部１５の高い位置に取り付き、そして、両スナップ４７，４９は接合部９から等間隔に取り付けられている。
【００３８】
尚、その他の構成は図１の実施形態と同様であるので、同一のものには同一符号を付してそれらの説明は省略する。
【００３９】
本実施形態はこのように構成されているから、図３に示すようにファスナ２３（スライダー３４）を操作して開口部２５を開くと、裾部１５が広がり、容易に足を通してズボン４５の脱ぎ履きができることとなる。
【００４０】
そして、ズボン４５を履いた後、図４の如くファスナ２３を締めて開口部２５を閉じ、雄型面ファスナ２９を雌型面ファスナ３３に止着すれば、ベルト３１がスライダー３４を覆ってファスナ２３を保護すると共に、開口部２５が不用意に開かないようにベルト３１が開口部２５の閉鎖状態を保持する。
【００４１】
また、例えば長靴を履くためにズボン４５の裾部１５を絞る場合は、図４に示すように膝当たりから裾部１５に亘って股下部１９を折り上げてスナップ４７，４９を係合させれば、裾部１５が絞れられて裾部１５を長靴内に簡単に挿入できることとなる。
【００４２】
そして、本実施形態も、開口部２５と離間させてスナップ４７，４９を裾部１５に設けた構造上、スナップ４７，４９同士を係合させて裾部１５を絞った際に、ファスナ２３を折り曲げることがなくなるため、従来の如き足への圧迫感が解消される。
【００４３】
而も、裾部１５の側方側に設けたスナップ４７，４９から離間させて開口部２５を裾部１５の後方側に設けたため、スナップ４７，４９の係合操作に開口部２５が支障を来すことがなくなり、絞り／解除の操作が良好となって裾部１５を十分に絞ることができる。
【００４４】
また、本実施形態も、接合部９，１１を股下部１９の膝位置近傍で膝方向へ湾曲した後、裾部１５の後方へと湾曲して形成させ、更に、スナップ４７，４９を斜め方向に配して、両スナップ４７，４９を接合部９を跨いでその前後に接合部９から等間隔に取り付けたため、図４に示すように接合部９に沿って裾部１５を絞ることができ、従来に比し股下部１９の捻れ（つれ）が軽減する。
【００４５】
即ち、図４の一点鎖線は、接合部９を上下方向にストレート状に設け、そして、前記スナップ４７，４９を裾部１７に沿って平行に配した構造に於ける股下部１９の捻れを示すもので、斯かる構造にあっては、大腿部付近から裾部１５に亘ってズボン４５（股下部１９）が大きく捻れてしまうため、足がつれた感じがして不快であるが、図４の実線で示すように本実施形態によれば、膝位置から裾部１５に亘る短い領域で接合部９で食い止められて、これに沿ってズボン４５が折り目が付けられたように捻れるため、足がつれた感じが著しく軽減して履き心地が良好となった。
【図面の簡単な説明】
【００４６】
【図１】請求項１乃至請求項３及び請求項５の一実施形態に係るズボンの側面図である。
【図２】裾部を絞った図１のズボンの側面図である。
【図３】請求項１乃至請求項４の一実施形態に係るズボンの側面図である。
【図４】裾部を絞った図３のズボンの側面図である。
【符号の説明】
【００４７】
１，４５  ズボン
３，５，７  布地
９，１１  接合部（縫い目）
１３  腰部
１５  裾部
１７  止着部材
１９  股下部
２１  臀部
２３  ファスナ
２５  開口部
２７  目止めカバー
２９，３７  雄型面ファスナ
３１，３９  ベルト
３３，３５  雌型面ファスナ
４１  止着部
４３  コバステッチ（コバ）
４７，４９  スナップ
【図１】
2008274458.tif 000003
【図２】
2008274458.tif 000004
【図３】
2008274458.tif 000005
【図４】
2008274458.tif 000006